(57)【要約】【課題】発明が解決しようとする課題は、シンプルな構成で且つ熱交換効率の高い熱交換器を提供することである。【解決手段】実施形態の熱交換器は、流体が流れる管と、前記流体を前記管に供給する供給部と、を備える熱交換器であって、前記管は、前記流体の流れにより変形する変形部と、前記流体の流通方向の前記変形部の下流側に狭窄部を有する。【選択図】図１
2018066548.tif 000002
【特許請求の範囲】
【請求項１】
流体が流れる管と、前記流体を前記管に供給する供給部と、を備える熱交換器であって、前記管は、前記流体の流れにより変形する変形部と、前記流体の流通方向の前記変形部の下流側に狭窄部を有する熱交換器。
【請求項２】
前記変形部は、前記流体の流れにより膨張及び収縮して振動する請求項１に記載の熱交換器。
【請求項３】
前記狭窄部の内径を変更可能な弁と、
前記弁の駆動を制御する弁制御部と、を更に備える請求項１又は２に記載の熱交換器。
【請求項４】
前記狭窄部の内径は、前記変形部の内径より小さい請求項１乃至３のいずれか１項に記載の熱交換器。
【請求項５】
前記変形部は、膨張及び収縮可能な弾性部材で形成される請求項１乃至４のいずれか１項に記載の熱交換器。
【請求項６】
前記管と接し、並べて配置された複数のフィンを更に備える請求項１乃至５のいずれか１項に記載の熱交換器。
【請求項７】
前記管は、前記流体の流れにより変形する第１の変形部と、前記流通方向の前記第１の変形部の下流側に第１の狭窄部と、前記第１の狭窄部より下流側に第２の変形部と、前記第２の変形部の下流側に第２の狭窄部と、を有する請求項１乃至６のいずれか１項に記載の熱交換器。
【請求項８】
前記変形部に対して前記流通方向の上流側の前記管に設置され、前記供給部から供給された前記流体に振動を発生させる振動発生器を更に備える請求項１乃至７のいずれか１項に記載の熱交換器。
【請求項９】
前記供給部は、前記流体を高圧にして流出する圧縮機又は、前記流体を低圧にして流出する膨張弁である請求項１乃至８のいずれか１項に記載の熱交換器。
【請求項１０】
請求項１乃至９に記載の熱交換器と、
ファンと制御部の少なくとも一方を含む空気調和装置。
【請求項１１】
前記流体の前記流通方向を変更する四方弁をさらに備える、請求項１０に記載の空気調和装置。
【発明の詳細な説明】
【技術分野】
【０００１】
本発明の実施形態は、熱交換器及び空気調和装置に関する。
【背景技術】
【０００２】
圧縮機により高温、高圧となった配管内の液体及び気体は、凝縮器により外部へ熱を放熱する。その後、膨張弁を介して低温、低圧となった液体及び気体が外部より熱を吸収することにより熱交換が繰り返される。このような熱交換器では、混相流冷媒の流れが不均一になることにより熱交換効率が低下する等の課題がある。
【０００３】
熱交換効率向上のためには、熱交換を行う熱交換部の温度境界層を薄くすることが知られている。例えば、フィンと伝熱管を支持する枠体に加振器を取付け、伝熱管とフィンを振動させることによりフィン近傍の熱による温度境界層を破壊することができる。この場合は、加振器とそれを振動させる制御装置を新たに設ける必要があるため装置構成が複雑になること及びコストアップ要因につながる等の課題がある。
【先行技術文献】
【特許文献】
【０００４】
【特許文献１】特開平８−８６５３７号公報
【特許文献２】特開平８−１７０８９５号公報
【特許文献３】特開２００５−２１４５８６号公報
【発明の概要】
【発明が解決しようとする課題】
【０００５】
発明が解決しようとする課題は、シンプルな構成で且つ熱交換効率の高い熱交換器及び空気調和装置を提供することである。
【課題を解決するための手段】
【０００６】
実施形態の熱交換器は、流体が流れる管と、前記流体を前記管に供給する供給部と、を備える熱交換器であって、前記管は、前記流体の流れにより変形する変形部と、前記流体の流通方向の前記変形部の下流側に狭窄部を有する。
【０００７】
また、実施形態の空気調和装置は、上記熱交換器と、ファンと制御部の少なくとも一方を含む。
【図面の簡単な説明】
【０００８】
【図１】第１の実施形態にかかる熱交換器の一例を示す図である。
【図２】第１の実施形態にかかる柔軟部の表面形状の一例を示す図である。
【図３】第２の実施形態にかかる熱交換器の一例を示す図である。
【図４】第３の実施形態にかかる熱交換器の一例を示す図である。
【図５】第４の実施形態にかかる空気調和装置の一例を示す図である。
【発明を実施するための形態】
【０００９】
以下、図面を参照して実施形態にかかる熱交換器及び空気調和装置について説明する。同じ符号が付されているものは同様のものを示す。なお、図面は模式的又は概念的なものであり、各部分の厚みと幅との関係や部分間の大きさの比係数などは、必ずしも現実のものと同一とは限らない。また、同じ部分を表す場合であっても、図面により互いの寸法や比係数が異なって表される場合もある。
【００１０】
（第１の実施形態）
図１は、第１の実施形態にかかる熱交換器１の一例を示す図である。
【００１１】
図１に示すように、熱交換器１は、流体が循環する伝熱管４と、流体を伝熱管４に供給する供給部と、を備える。供給部とは、ここでは圧縮機５及び膨張弁６を指し、流体を膨張弁６から蒸発器２を介して圧縮機５へ流す伝熱管４と、流体を圧縮機５から凝縮器３を介して膨張弁６へ流す伝熱管４とにより流体を循環させている。図１では、伝熱管４のうち一部、蒸発器２及び凝縮器３内に設けられる部分については、これを伝熱管８で示している。
【００１２】
第１の実施形態にかかる熱交換器１では、一部が自己振動することにより流体の熱交換を効率的に行う。
【００１３】
流体とは、液体又は気体あるいはその両方を含み水や空気、フッ素化合物、アンモニア、炭化水素や二酸化炭素等の冷媒が好ましいが、その他のガス、油等も含む。
【００１４】
蒸発器２は、伝熱管４と繋がり膨張弁６を介して低温及び低圧にされた流体が流れこむことによって、流体が外部の空気から熱を吸収し外部の空気を冷やす。
【００１５】
蒸発器２は、略平行に並ぶ複数の板状のフィン７と複数のフィン７に載置される伝熱管８を有する。フィン７と伝熱管８は接した状態で配置される。複数のフィン７は、それぞれ所定の間隔を空けて配置され、その間に気体が流通する。フィン７の形状は、板状に限定されず、伝熱管８の側面から伸びる複数の柱状のフィン７であっても良い。伝熱管８が外部の空気と接触する面積が増える構造であれば、どんな構造でも良い。フィン７の材料は、一般的にアルミニウム、アルミニウム合金やそれらに親水性被膜や耐食性被膜を塗布したものを用いる。伝熱管８は、Ｓ字状に曲げられフィン７に接して配置される。複数のフィン７と伝熱管８が接した状態とは、複数のフィン７を伝熱管８が貫通している場合も含む。
【００１６】
図１に示すように、蒸発器２の伝熱管８は、中空の柔軟部８ａと、流体が流れる柔軟部８ａの下流側に中空の狭窄部８ｂを含む。伝熱管８は、柔軟部８ａと狭窄部８ｂの組を複数有し、それぞれの間には伝熱管８ｃを有する。柔軟部８ａは、膨張及び収縮可能な弾性部材で形成される。弾性部材とは、ゴム等の材料であり、外形に応力が加わることにより変形する（柔軟部は、変形部とも称される）。狭窄部８ｂは、柔軟部８ａより内径が小さく柔軟部８ａに向けて内径がすぼまっている箇所である。詳しく述べると、狭窄部８ｂは、伝熱管８ｃと繋がる箇所では伝熱管８ｃと同一の内径であるが、伝熱管８ｃから柔軟部８ａに向けて内径が小さくなる形状である。狭窄部８ｂは、柔軟部８ａと同一の材料で形成されても良いし、伝熱管８ｃと同一の材料で形成されても良い。伝熱管８ｃは、パイプ状の管であり、アルミニウムや銅等の熱伝導率の高い材料が用いられる。伝熱管８ｃと狭窄部８ｂは、接着剤等で接続される。また、狭窄部８ｂが伝熱管８ｃに設けられている場合は、柔軟部８ａと狭窄部８ｂは、接着剤等で接続される。接着剤は、柔軟部８ａと狭窄部８ｂ又は伝熱管８ｃを流体の漏れが生じない程度に十分に接着できるものなら何でも良い。柔軟部８ａの内径は、伝熱管８ｃの内径より大きいのが好ましい。また、狭窄部８ｂの内径は、伝熱管８ｃの内径より小さいのが好ましいがこれに限定されない。また、狭窄部８ｂの内径は、柔軟部８ａに向かうにつれて内径が小さくなる形状について説明したが、これに限定されず内径が一定である場合も含む。
【００１７】
次に、蒸発器２の伝熱管８内に流体が流れる際の伝熱管８に生じる作用について説明する。
【００１８】
伝熱管８内を流れる流体は、まず伝熱管８ｃを通り、柔軟部８ａに流入する。次に、狭窄部８ｂに流体が流れ込む。狭窄部８ｂの柔軟部８ａ側の内径が伝熱管８ｃより小さいことにより、狭窄部８ｂに流入する流体が淀み乱流が発生する。乱流による圧力変動により、ゴム等で形成された柔軟部８ａの内部管壁が励振する。これにより、柔軟部８ａは、自己振動を始める。狭窄部８ｂを通り抜けた流体は、下流側に位置する隣の伝熱管８ｃを通り柔軟部８ａに流れ込む。柔軟部８ａと狭窄部８ｂは、複数存在するため伝熱管８中の柔軟部８ａそれぞれで振動が生じる。流体は、一般的に液体と気体の二相流であり、二相流であることによって、狭窄部８ｂに流入する際に柔軟部８ａを振動させる。また、柔軟部８ａの振動により二相流の流体がミキシング（かき混ぜる、混合する）される。
【００１９】
この柔軟部８ａの振動により、柔軟部８ａと外部の空気との接触面積が増加すること、さらに熱交換の際の抵抗となる温度境界層を薄くするため、外部の空気と効果的に熱交換できる。また、狭窄部８ｂにより伝熱管内を流れる流体は乱流により拡散されるため、柔軟部８ａの内壁に効果的に接触し熱交換が促進される。
【００２０】
凝縮器３は、伝熱管４と繋がり、圧縮機５で高温及び高圧にされた流体が流れ込むことによって、流体が外部の空気へ熱を放出し外部の空気を暖める。
【００２１】
凝縮器３は、図１に示すように、略平行に並ぶ複数の板状のフィン７と複数のフィン７に載置される伝熱管８を有する。フィン７と伝熱管８は接した状態で配置される。複数のフィン７は、それぞれ所定の間隔を空けて配置され、その間に気体が流通する。蒸発器２と同様、複数のフィン７を伝熱管８が貫通している場合でも良い。この伝熱管８とフィン７の構成は、蒸発器２と同様である。また、伝熱管８の構成も蒸発器２と同様であり、中空の柔軟部８ａと、流体が流れる柔軟部８ａの下流側に中空の狭窄部８ｂを含む。伝熱管８は、柔軟部８ａと狭窄部８ｂの組を複数有し、それぞれの間には伝熱管８ｃを有する。この伝熱管８の構成により、伝熱管８に流体が流れた際に狭窄部８ｂ付近で乱流が発生し、柔軟部８ａは、自己振動を始める。
【００２２】
伝熱管４は、蒸発器２と圧縮機５と凝縮器３と膨張弁６を環状に繋ぐ。伝熱管４の内部に流体が流れ蒸発器２及び凝縮器３の伝熱管８の内部に流体が流れ込みことにより流体は、熱交換器１内を循環する。図１に示すように、流体は、伝熱管４と伝熱管８を通り時計回り（ＣＣＷ）に流れる。伝熱管４は、蒸発器２及び凝縮器３の伝熱管８ｃと繋がる。伝熱管４は、パイプ状の管で形成され、伝熱管８ｃと同一材料であることが好ましい。
【００２３】
圧縮機５は、ピストン等の往復運動によるエネルギーを流体の有するエネルギーに変換するものであり、流体を高温及び高圧にする。圧縮機５としては、例えば、ポンプ、コンプレッサ、アキュムレータ、等で良い。
【００２４】
膨張弁６は、流体の圧力降下をもたらす弁のことであり、高温及び高圧の液化した流体を減圧して蒸発し易い状態にする。圧縮機５と膨張弁６は、伝熱管４とそれぞれ繋がり伝熱管４、蒸発器２及び凝縮器３に流体を供給するため供給部とも称される。
【００２５】
上記説明では、流体が伝熱管内を時計回り（ＣＣＷ）に流れる場合について説明したが、これに限定されず、流体が反時計回り（ＣＣＡＷ）に流れる場合も含む。反時計回りに流体が流れる場合は、蒸発器２と凝縮器３の機能が逆となる。
【００２６】
次に、伝熱管８の柔軟部８ａと狭窄部８ｂ及び伝熱管８ｃの構成について詳しく説明する。
【００２７】
上述したように、伝熱管８に流体が流れることにより柔軟部８ａが自己振動する。柔軟部８ａの外形表面は、伝熱面としても作用する。そのため柔軟部８ａの外形は、表面積が大きくなるような形状であることが好ましい。本実施形態の柔軟部８ａの外形は、柔軟部８ａの中心付近の径が最も大きくなり狭窄部８ｂ及び伝熱管８ｃに向かうにつれて径が小さくなる形状である、いわゆる楕円体形状である。また、熱交換効率を上げるために、表面に突起を複数設けても良い。
【００２８】
図２は、柔軟部８ａの表面形状の一例を示す図である。
図２に示すように、柔軟部８ａの表面形状は、円柱状又は角柱状の突起、あるいは円錐状又は角錐状の突起、あるいは半球状の突起を複数設けても良い。また、柔軟部８ａの表面を荒らして表面積を増しても良い。
【００２９】
柔軟部８ａと流体との温度境界層は、柔軟部８ａが自己振動することにより薄くなる。ここで、温度境界層とは、流体の温度が急変する領域のことである。例えば、固体と流体で温度差がある場合、その接触領域を温度境界層という。境界層の速度が速い程、温度境界層は薄くなり、流体の粘性が高い程厚くなる。柔軟部８ａが共振する時に温度境界層は、より薄くなり流体との熱交換が顕著となる。よって、柔軟部８ａのヤング率及び重量、柔軟部８ａの形状、狭窄部８ｂの径、流入する流体の圧力や狭窄部８ｂの流路抵抗から柔軟部８ａの固有振動数及び流入する流体の圧力等を調整するのが良い。例えば、柔軟部８ａの固有振動数を高くしたい場合は、剛性の高い材料を用いると良く、固有振動数を低くしたい場合は、剛性の低い材料を用いると良い。
【００３０】
本実施形態にかかる熱交換器１は、伝熱管８に柔軟部８ａと狭窄部８ｂを設けることで柔軟部８ａが自己振動し、柔軟部８ａの内部を流れる流体と外部の空気との熱交換効率を向上することができる。
【００３１】
また、本実施形態にかかる熱交換器１は、外部に伝熱管８やフィン７を振動させるための加振器及び振動制御器等を取付ける必要が無いため、低コストかつ省スペースな装置構成とすることができる。
【００３２】
また、上述した伝熱管８は、複数の柔軟部８ａ及び狭窄部８ｂを有することを説明したが、柔軟部８ａ及び狭窄部８ｂの数は複数に限定されず、柔軟部８ａ及び狭窄部８ｂの１組であっても良い。この場合でも、柔軟部８ａを流れる流体と外部の空気との熱交換効率を向上できる。
【００３３】
また、柔軟部８ａの表面に突起等を設けることにより外部の空気との接触面積を増加でき熱交換効率を向上できる。
【００３４】
また、柔軟部８ａの下流側に狭窄部８ｂを設けることにより狭窄部８ｂに流入する流体が乱流により拡散されるため、流体が柔軟部８ａの内壁に効果的に接触し熱交換効率を向上できる。
【００３５】
（第２の実施形態）
図３は、第２の実施形態にかかる熱交換器１の一例を示す図である。
【００３６】
図３に示すように熱交換器１は、蒸発器２及び凝縮器３の上流の伝熱管４にそれぞれ設置される振動発生器９を備える。それ以外の構成については第１の実施形態にかかる熱交換器と同様である。
【００３７】
具体的に振動発生器９の設置位置はそれぞれ、圧縮機５と凝縮器３の間と、膨張弁６と蒸発器２の間に設置される。振動発生器９は、脈動を加えて流体を流出する。脈動とは、脈を打つように流体の流れに周期的な動きがあることを意味し、定常流とは異なる状態である。伝熱管８内に流入した脈動をもつ流体は、柔軟部８ａの内部に流れ込む。柔軟部８ａは、振動発生器９で流出された流体と同一の周期で振動し始める。この時、脈動をもつ流体は、柔軟部８ａの固有振動数と同一の振動数で脈動することが好ましい。これにより柔軟部８ａが共振することにより振幅が増大し、流体と外部の空気の熱交換効率をより向上できる。
【００３８】
振動発生器９は、例えば、ロータリーバルブを備え、ロータリーバルブの回転により流体に脈動を発生させる。振動発生器９から流出する流体の周期は、圧縮機５及び膨張弁６から流出される流体の圧力、柔軟部８ａの形状、狭窄部８ｂの内径等により適宜調整できる。
【００３９】
また、振動発生器９は、周期的に流体を流出するのみでなく、流体をミキシングする機構を有していても良い。流体は、一般的に液体及び気体の二相流であるが、流体をミキシングすることにより二相流の特徴が顕著となり、熱交換効率を向上できる。ミキシングする機構としては、例えば、モータに羽を設置し羽を回転させることによりミキシングしても良い。上述したように、二相流の流体は、狭窄部８ｂに流入する際に柔軟部８ａを振動させる。また、柔軟部８ａの振動によっても二相流の流体はミキシングされる。
【００４０】
本実施形態にかかる熱交換器１は、振動発生器９を設けることにより柔軟部８ａへの流体の流入に応じて柔軟部８ａを振動させることができる。また、柔軟部８ａの固有振動数と略同一の振動を加えた流体を流入することにより柔軟部８ａを共振させることができる。これにより、流体と外部の空気との温度境界層を薄くすることにより熱交換効率を向上できる。
【００４１】
（第３の実施形態）
図４は、第３の実施形態にかかる熱交換器１の一例を示す図である。
【００４２】
図４に示すように熱交換器１は、狭窄部８ｂとして流体が流れる狭窄箇所の径を変更可能な弁１０と、弁１０の駆動を制御する弁制御部（図示しない）と、を備える。それ以外の構成については第１及び２の実施形態にかかる熱交換器と同様である。
【００４３】
弁１０は、柔軟部８ａの下流側に設置され、流体が流れる狭窄箇所の径を自在に変更可能である。つまり、弁１０の開放箇所が狭窄箇所にあたる。開放箇所とは、弁が開いている箇所を意味し、流体が流れる箇所である。弁１０は、弁制御部と接続され、弁制御部からの指令に従い弁１０の開放を制御する。弁１０は、完全に閉じている時を０％として、伝熱管８ｃの内部の断面積を１００％とすると、０〜１００％の範囲で開放率を制御できる。弁１０と柔軟部８ａ及び弁１０と伝熱管８ｃは、接着剤等で接着される。弁１０は、例えば、電磁弁、電磁バルブや比例制御弁等で良い。
【００４４】
弁１０は、伝熱管８に複数存在する柔軟部８ａの流体の流通方向の下流側にそれぞれ設置され、複数の弁１０の開放率は、別個に変更可能である。
【００４５】
また、柔軟部８ａの流体の流通方向の上流側と弁１０の下流側に圧力センサを設置することによりその圧力データから弁１０の開放率を調整しても良い。
【００４６】
また、柔軟部８ａの振動をカメラにより撮像して柔軟部８ａの変形量を測定することにより、圧力センサや流量センサ等を用いずに流体の流量や圧力を推定して流体の流れを制御しても良い。
【００４７】
カメラは、光学式カメラ、高速度カメラ、ＰＳＤ（Position Sensitive Detector）カメラ、ＣＣＤ（Charge Coupled Devices）カメラ等で良い。
【００４８】
また、柔軟部８ａに歪センサを貼り付け柔軟部８ａの歪量を測定することにより、流体の流量や圧力を推定して流体の流れを制御しても良い。歪センサは、ピエゾ素子を用いた歪ゲージあるいは半導体素子等を用いたセンサで良い。
【００４９】
本実施形態にかかる熱交換器１は、柔軟部８ａの下流側に弁１０を設けることにより伝熱管８の狭窄率（開放率）を自由に変更することができる。また、柔軟部８ａの振動状態に応じて弁１０の開放率を調整することができる。例えば、流体の対流等により柔軟部８ａに異常振動が生じた場合であっても、弁１０を開放することにより異常振動を回避することができる。
【００５０】
（第４の実施形態）
図５は、第４の実施形態にかかる空気調和装置１１の一例を示す図である。
【００５１】
図５に示すように空気調和装置１１は、冷暖房を切り替える四方弁１２と、蓄熱部１３を備えた圧縮機５と、室内機１７と、室外機１８と、を備える。空気調和装置１１は、第１乃至３にかかる熱交換器１を含む。
【００５２】
室内機１７は  蒸発器２とその周辺の空気を室内に放出するファン１４を備える。
【００５３】
室外機１８は  凝縮器３とその周辺の空気を外部に放出するファン１５を備える。
【００５４】
四方弁１２は、熱交換器１の圧縮機５と蒸発器２及び圧縮機５と凝縮器３の間に配置される。四方弁１２は、圧縮機５で圧縮された流体の循環方向を切り替える。この流体の循環方向に応じて、空気調和装置１１の冷暖房が切替えられる。蓄熱部１３は、圧縮機５の外周部に設置される。制御部１６は、圧縮機５、四方弁１２、室内機１７、室外機１８、と繋がり、これらの駆動を制御する。
【００５５】
四方弁１２は、流体の循環方向を切替えることにより空気調和装置１１の冷暖房を切替える。流体の循環方向に応じて、熱交換器１の蒸発器２と凝縮器３の機能が切替わる。つまり、上述した、蒸発器２と凝縮器３の配置は、流体が時計回り（ＣＣＷ）に循環する場合であって、空気調和装置１１が冷房時の循環である。圧縮機５で高温及び高圧にされた流体は、凝縮器３に流入し凝縮器３の周辺の空気と熱交換する。この場合、室外機１８は、昇温された空気をファン１５のモータを駆動することにより外部に放出する。その後、流体は、膨張弁６を介して低温及び低圧にされ蒸発器２に流入する。流体は、蒸発器２の周辺の空気と熱交換する。この場合、室内機１７は、ファン１４のモータを駆動することにより冷やされた空気を室内に放出する。
【００５６】
四方弁１２により流体の循環方向が切替えられ、流体が反時計回り（ＣＣＡＷ）に循環する場合は、空気調和装置１１が暖房時の循環となる。この時、室内機１７内の蒸発器２は、凝縮器として働き、室外機１８の凝縮器３は、蒸発器として働く。
【００５７】
空気調和装置１１を暖房若しくは冷房のどちらかのみで機能させる場合、四方弁１２は省略できる。
【００５８】
蓄熱部１３は、圧縮機５の熱を蓄熱する。例えば、利用者による外部指令又は運転プログラムに基づいて空気調和装置１１の暖房運転が停止される場合、圧縮機５の発熱がなくなるため、外気温度との温度差で蓄熱部１３に囲まれた圧縮機５の温度は低下していく。そこで、蓄熱した蓄熱部１３から圧縮機５に放熱することで圧縮機５の温度低下を抑制する。これにより、空気調和装置１１の暖房の起動時の立ち上がり性能を向上する。蓄熱部１３は、内部に蓄熱材を有し、例えば硫酸ナトリウム水和物、酢酸ナトリウム水和物、パラフィンといった潜熱蓄熱性を有する化合物を含む材料を用いることができる。蓄熱部１３は、空気調和装置１１が暖房時の構成であり、暖房機能を有さない場合は、必須の構成ではない。
【００５９】
ファン１４と１５は、空気を送風する羽と、羽を回転駆動するためのモータと、を有する。羽の形状は、プロペラ状でも、ローラ状のものでも良い。羽の材質は、樹脂製でも金属製でも良い。
【００６０】
制御部１６は、例えば、圧縮機５の回転数、四方弁１２の切替え、室内機１７と室外機１８のファンのモータの回転数などを制御する。制御部１６は、例えば、電子回路を含む演算部と、空気調和装置１１の動作条件を設定する操作部と、空気調和装置１１の動作履歴や動作条件を記憶する記憶部とで構成される。ソフトウェアとハードウェアのどちらか一方又は両方の制御方法が空気調和装置１１の制御に含まれる。
【００６１】
本実施形態にかかる空気調和装置１１は、第１乃至３の実施形態にかかる熱交換器１を含むことにより、外部の空気との熱交換効率を上げ、冷暖房時の性能を向上することができる。
【００６２】
また、蒸発器２と凝縮器３に熱交換効率を向上するための加振器等を付ける必要が無いため、室内機１７と室外機１８をコンパクトにすることができる。
【００６３】
上述した第１乃至３の熱交換器１は、フィン７を有する構成で説明したが、フィン７は必須の構成ではない。熱交換器１は、伝熱管８に柔軟部８ａと狭窄部８ｂを有し、流体が流れた際に柔軟部８ａが自己振動することにより必ずしもフィン７を有さなくても外部の空気との熱交換効率を向上できる。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
１  熱交換器
２  蒸発器
３  凝縮器
４  伝熱管
５  圧縮機
６  膨張弁
７  フィン
８  伝熱管
８ａ  柔軟部
８ｂ  狭窄部
８ｃ  伝熱管
９  振動発生器
１０  弁
１１  空気調和装置
１２  四方弁
１３  蓄熱部
１４  ファン
１５  ファン
１６  制御部
１７  室内機
１８  室外機
【図１】
2018066548.tif 000003
【図２】
2018066548.tif 000004
【図３】
2018066548.tif 000005
【図４】
2018066548.tif 000006
【図５】
2018066548.tif 000007